(57)【要約】      （修正有）【課題】様々な携帯電話、本類、宣伝用物品などの物品を保管、放置、立体ディスプレイ等に適用できる多目的機能型の調整可能な収納構造体を提供する。【解決手段】可撓性材料が折り畳まれて形成され、支持部材１０と接続部材３０とストッパ部材２０とを備える。支持部材は、外側面に（Ｎ−１）個の第１の表示面１０２と１つの第１の支持底面１０１を備えるＮ角形の中空筒体であり、接続部材は、第１の支持底面の少なくとも一方の側縁に接続される、矩形シートであり、ストッパ部材は、外側面にストッパ面２０２と１つの第２の支持底面２０１と（Ｍ−２）個の第２の表示面２０３を備えるＭ角形の中空筒体であり、第１の支持底面と接続部材と第２の支持底面とは面一に形成され、支持部材の幅をＬ１、ストッパ部材の幅をＬ２とする場合、Ｌ１はＬ２より大きいか又は等しく、支持部材の高さをＨ１、ストッパ部材の高さをＨ２とする場合、Ｈ１＞Ｌ１＞Ｌ２、かつＨ１＞Ｈ２である。【選択図】図１
0003222711.tif 000002
【実用新案登録請求の範囲】
【請求項１】
可撓性材料で折り畳まれて形成されると共に、支持部材と、接続部材と、ストッパ部材とを備える、かつ、物品および宣伝用物品の保管、放置、や立体ディスプレイに適用できる機能を一緒に持つ多目的機能型の調整可能な収納構造体であって、前記支持部材は、その外側面に（Ｎ−１）個の第１の表示面および１つの第１の支持底面を備えるＮ角形の中空筒体であり、ここで、Ｎが３〜２０の間の自然数であり、
前記接続部材は、前記支持部材の前記第１の支持底面の少なくとも一方の側縁に接続される、矩形シートであり、
前記ストッパ部材は、その外側面に、ストッパ面、１つの第２の支持底面および（Ｍ−２）個の第２の表示面を備えるＭ角形の中空筒体であり、ここで、Ｍは３〜２０の間の自然数であり、
前記支持部材における前記第１の支持底面と、前記接続部材と、前記ストッパ部材における前記第２の支持底面とは面一に形成されており、
前記支持部材のＹ軸方向の幅をＬ１とし、前記ストッパ部材のＹ軸方向の幅をＬ２とする場合、Ｌ１はＬ２より大きいか又は等しい、
前記支持部材のＺ軸方向の高さをＨ１とし、前記ストッパ部材のＺ軸方向の高さをＨ２とする場合、Ｈ１＞Ｌ１＞Ｌ２、かつＨ１＞Ｈ２であることを特徴とする調整可能な収納構造体。
【請求項２】
前記（Ｎ−１）個の第１の表示面のうち少なくとも１つの左側に左側折り畳み部が設けられており、または前記（Ｎ−１）個の第１の表示面のうち少なくとも１つの右側に右側折り畳み部が設けられている、
ことを特徴とする請求項１に記載の調整可能な収納構造体。
【請求項３】
前記ストッパ部材および前記接続部材はそれぞれ複数であり、
各前記ストッパ部材の前記第２の支持底面は、各前記接続部材を介して前記第１の支持底面の側縁にそれぞれ接続されており、
各前記ストッパ部材は、同じまたは異なるサイズである、
ことを特徴とする請求項１または２に記載の調整可能な収納構造体。
【請求項４】
前記支持部材は複数であり、
各前記支持部材の前記第１の支持底面は、前記接続部材を介して互いに接続されており、
各前記支持部材は、同じまたは異なるサイズである、
ことを特徴とする請求項１または２に記載の調整可能な収納構造体。
【請求項５】
前記左側折り畳み部および前記右側折り畳み部は、前記第１の表示面の左側縁および右側縁に沿って配置された矩形領域であるか、又は、前記第１の表示面の左側隅と右側隅に配置された円弧領域であるか、若しくは、前記第１の表示面の左側縁、左側隅と右側隅に配置された分割線である、
ことを特徴とする請求項２に記載の調整可能な収納構造体。
【請求項６】
前記接続部材は、前記支持部材が選択的に当接するための少なくとも１つの規制部をさらに含んでおり、
前記規制部が複数である場合、各前記規制部は、前記接続部材内に一定の間隔で配置されている、
ことを特徴とする請求項１または２に記載の調整可能な収納構造体。
【請求項７】
前記ストッパ部材の前記ストッパ面または前記第２の表示面のうち少なくとも１つの左側には、前記左側折り畳み部が設けられており、
前記ストッパ面または前記第２の表示面のうち少なくとも１つの右側には、前記右側折り畳み部が設けられている、
ことを特徴とする請求項２に記載の調整可能な収納構造体。
【請求項８】
前記支持部材、前記ストッパ部材および前記接続部材は、同１枚のシート状の可撓性材料によって折り畳まれて形成されるか、または、複数枚のシート状の可撓性材料によって別々に折り畳まれて成形してから、互いに組み立てて構成される、
ことを特徴とする請求項１または２に記載の調整可能な収納構造体。
【請求項９】
可撓性材料で折り畳まれて形成されると共に、支持部材と受容部材とを備える、かつ、物品および宣伝用物品の保管、放置、や立体ディスプレイに適用できる機能を一緒に持つ多目的機能型の調整可能な収納構造体であって、
前記支持部材は、その外側面に（Ｎ−１）個の第１の表示面および１つの第１の支持底面を備えるＮ角形の中空筒体であり、ここで、Ｎが３〜２０の間の自然数であり、
前記受容部材は、第２の支持底面および周壁面を備えており、
前記第２の支持底面は、前記支持部材の前記第１の支持底面とストッパ部材の前記第２の支持底面とが面一に形成されるように、前記支持部材の前記第１の支持底面の少なくとも一方の側縁に接続されており、
前記周壁面は、前記周壁面と前記第２の支持底面と前記第１の表示面とで収容空間を形成するように、前記第２の支持底面の前記第１の支持底面との接続された側縁以外の他の側縁に沿って垂直に延びるように形成されている、
ことを特徴とする調整可能な収納構造体。
【請求項１０】
前記（Ｎ−１）個の第１の表示面のうち少なくとも１つの左側には左側折り畳み部が設けられており、または前記（Ｎ−１）個の第１の表示面のうち少なくとも１つの右側には右側折り畳み部が設けられている、
ことを特徴とする請求項９記載の調整可能な収納構造体。
【請求項１１】
前記左側折り畳み部および前記右側折り畳み部は、前記第１の表示面の左側縁および右側縁に沿って配置された矩形領域であるか、又は、前記第１の表示面の左側隅と右側隅に配置された円弧領域であるか、若しくは、前記第１の表示面の左側縁、左側隅と右側隅に配置された分割線である、
ことを特徴とする請求項１０に記載の調整可能な収納構造体。
【請求項１２】
前記受容部材の前記第２の支持底面は、前記支持部材が選択的に当接するための少なくとも１つの規制部を含み、前記規制部は複数である場合、各前記規制部は、接続部材内に一定の間隔で配置されていることを特徴とする請求項９または１０記載の調整可能な収納構造体。
【請求項１３】
可撓性材料で折り畳まれて形成されるとともに、支持部材と拡音部材とを備える、かつ、物品および宣伝用物品の保管、放置、や立体ディスプレイに適用できる機能を一緒に持つ多目的機能型の調整可能な収納構造体であって、
前記支持部材は、その外側面には（Ｎ−１）個の第１の表示面および１つの第１の支持底面を備えるＮ角形の中空筒体であり、ここで、Ｎが３〜２０の間の自然数であり、
前記拡音部材は、その外側面には第２の支持底面、受音面および拡音面を備える三角形の中空筒体であり、
前記第２の支持底面は、前記支持部材の前記第１の支持底面と前記拡音部材の前記第２の支持底面とが面一に形成されるように、前記支持部材の前記第１の支持底面の少なくとも一方の側縁に接続されており、
前記受音面は、前記第１の表示面に向かうと共に、前記第１の表示面に近接する位置に受音開口が設けられており、
前記拡音面は、外部に向かうと共に、拡音開口が設けられており、
前記受音開口の開口面積は、前記拡音開口の開口面積よりも小さい、
ことを特徴とする調整可能な収納構造体。
【請求項１４】
前記（Ｎ−１）個の第１の表示面のうち少なくとも１つの左側には左側折り畳み部が設けられ、または前記（Ｎ−１）個の第１の表示面のうち少なくとも１つの右側には右側折り畳み部が設けられている、
ことを特徴とする請求項１３に記載の調整可能な収納構造体。
【請求項１５】
前記左側折り畳み部および前記右側折り畳み部は、前記第１の表示面の左側縁および右側縁に沿って配置された矩形領域であるか、又は、前記第１の表示面の左側隅と右側隅に配置された円弧領域であるか、若しくは、前記第１の表示面の左側縁、左側隅と右側隅に配置された分割線である、
ことを特徴とする請求項１４に記載の調整可能な収納構造体。
【考案の詳細な説明】
【技術分野】
【０００１】
本考案は、調整可能な収納構造体に関し、特に、１枚または複数枚のシート状の可撓性材料によって構成される、写真や、画像または文書などの物品を収容、表示することができる多機能調整可能な収納構造体に関する。
【背景技術】
【０００２】
科学技術の発展に伴い、スマートフォンは、徐々に人々の日常生活に不可欠になってきた。携帯電話は、電話をかけたりメッセージを送信したりするための単なるコミュニケーションツールではなく、写真やビデオの鑑賞のためのツールでもある。そのため、携帯電話の利用時間も長くなるが、特にビデオや映画を長時間見ているときなど携帯電話を長時間持って使用する場合、手が同じ角度に固定されるため、手に不快感を与えることがよくある。また、ほとんどのスマートフォンは、ほぼフラット型ですが、日常生活ではデスクトップにスマートフォンを平らに置くことが多いので、電話やメッセージによる通知があった場合は、画面を見たり操作したりするために携帯電話を取る必要があるため、使い勝手が悪い。
【０００３】
そのため、携帯電話を支持して立った姿勢で携帯電話の画面を見ることができる携帯電話立てが市場に徐々に登場し始めた。しかし、一般的な携帯電話立ての機能は単一で、携帯電話を置く機能のみを有し、しかも固定構造であり、保管または持ち運びに不便である。
【０００４】
したがって、従来の携帯電話立ての機能単一、保管または持ち運びに不便の欠点を解決するだけでなく、使いやすく、低コストで、環境に優しく、そして美しい飾り機能を兼備する新規な技術を提供することも可能である、携帯電話や、タブレット、本類などの他の物品を支持するために使用することができる収納構造体の開発に望まれている。
【考案の概要】
【考案が解決しようとする課題】
【０００５】
そこで、このような観点から、本創作者は、長年にわたり関連製品の製造開発および設計経験をもとに、上記の伝統的な携帯電話立ての問題点について検討および調査し、並びにユーザーエクスペリエンスを向上させるためのさまざまな改善計画の慎重な評価に携わってきた結果、本考案の完成に至った。
【０００６】
言い換えれば、本考案は、一枚または複数枚のシート状の可撓性材料を折り曲げることによって形成される、様々な携帯電話や、タブレット、本類、名刺、写真、フォルダ、および宣伝用物品などの物品を保管、放置、や立体ディスプレイ等に適用できる機能を一緒に持つ多目的機能型の調整可能な収納構造体を提供する。さらに、この調整可能な収納構造体は、収納および拡音などの機能を発揮することもできる。
【課題を解決するための手段】
【０００７】
本考案は、可撓性材料で折り畳まれ、様々な携帯電話、タブレットおよび宣伝用物品の保管、放置、や立体ディスプレイ等に適用できる機能を一緒に持つことを特徴とする多目的機能型の調整可能な収納構造体を提供する。かかる調整可能な収納構造体は、Ｎ角形の中空筒体である支持部材（ここで、Ｎが３〜２０の間の自然数である）と、矩形シートである接続部材と、Ｍ角形の中空筒体であるストッパ部材（ここで、Ｍは３〜２０の間の自然数である）とを備える。前記Ｎ角形の中空筒体の外側面には（Ｎ−１）個の第１の表示面および１つの第１の支持底面を備える。前記（Ｎ−１）個の第１の表示面のうち少なくとも１つの左側には左側折り畳み部が設けられているか、および／または前記（Ｎ−１）個の第１の表示面のうち少なくとも１つの右側には右側折り畳み部が設けられている。前記接続部材は前記支持部材の前記第１の支持底面の少なくとも一方の側縁に接続される。前記Ｍ角形の中空筒体の外側面には、ストッパ面、第２の支持底面および（Ｍ−２）個の第２の表示面を備える。前記支持部材の前記第１の支持底面と前記接続部材と前記ストッパ部材の前記第２の支持底面とは面一に形成される。前記支持部材のＹ軸方向の幅をＬ１とし、前記ストッパ部材のＹ軸方向の幅をＬ２とする場合、Ｌ１はＬ２より大きいか又は等しい。前記支持部材のＺ軸方向の高さをＨ１とし、前記ストッパ部材のＺ軸方向の高さをＨ２とする場合、Ｈ１＞Ｌ１＞Ｌ２、かつＨ１＞Ｈ２である。
【０００８】
本考案の一実施形態によれば、前記ストッパ部材および前記接続部材は複数であり、各前記ストッパ部材における前記第２の支持底面は、各前記接続部材を介して前記第１の支持底面の側縁にそれぞれ接続される。各前記ストッパ部材の大きさは、同じでも異なっていてもよい。
【０００９】
本考案の一実施形態によれば、前記支持部材は複数であり、各前記支持部材の前記第１の支持底面は、前記接続部を介して互いに接続され、各前記支持部材のサイズは、同じでも異なっていてもよい。
【００１０】
本考案の一実施形態によれば、前記接続部材は、前記支持部材が選択的に当接するための少なくとも１つの規制部をさらに含んでおり、前記規制部が複数である場合、各前記規制部は、前記接続部材内に一定の間隔で配置されている。
【００１１】
本考案の一実施形態によれば、前記ストッパ部材の前記ストッパ面および／または前記第２の表示面のうち少なくとも１つの左側には、前記左側折り畳み部が設けられている。前記ストッパ面および／または前記第２の表示面のうち少なくとも１つの右側には、前記右側折り畳み部が設けられている。
【００１２】
さらに、本考案の他の実施形態によれば、１枚または複数枚のシート状の可撓性材料によって構成され、様々な携帯電話が置くと共に、立体ディスプレイすることができることを特徴とする多目的機能型な収納構造体を提供する。かかる調整可能な収納構造体は、Ｎ角形の中空筒体である支持部材（ここで、Ｎが３〜２０の間の自然数である）と、受容部材とを備える。前記Ｎ角形の中空筒体の外側面には（Ｎ−１）個の第１の表示面および１つの第１の支持底面を備える。前記（Ｎ−１）個の第１の表示面のうち少なくとも１つの左側には左側折り畳み部が設けられている、および／または前記（Ｎ−１）個の第１の表示面のうち少なくとも１つの右側には右側折り畳み部が設けられている。前記受容部材は第２の支持底面および周壁面を備える。前記第２の支持底面は、前記支持部材の前記第１の支持底面と前記ストッパ部材の前記第２の支持底面とが面一に形成されるように、前記支持部材の前記第１の支持底面の少なくとも一方の側縁に接続されている。前記周壁面は、前記周壁面と前記第２の支持底面と前記第１の表示面とで収容空間を形成するように、前記第２の支持底面の前記第１の支持底面との接続された側縁以外の他の側縁に沿って垂直に延びるように形成されている。
【００１３】
本考案の一実施形態によれば、前記受容部材の前記第２の支持底面は、前記支持部材が選択的に当接するための少なくとも１つの規制部を含み、前記規制部は複数である場合、各前記規制部は、前記接続部材内に一定の間隔で配置されている。
【００１４】
さらに、本考案の他の実施形態によれば、１枚または複数枚のシート状の可撓性材料によって構成され、様々な携帯電話が置くと共に立体ディスプレイすることができることを特徴とする多目的機能型な収納構造体を提供する。かかる調整可能な収納構造体は、Ｎ角形の中空筒体である支持部材（ここで、Ｎが３〜２０の間の自然数である）と三角形の中空筒体である拡音部材とを備える。前記支持部材は、前記Ｎ角形の中空筒体の外側面に（Ｎ−１）個の第１の表示面および１つの第１の支持底面を備える。前記（Ｎ−１）個の第１の表示面のうち少なくとも１つの左側には左側折り畳み部が設けられているか、および／または前記（Ｎ−１）個の第１の表示面のうち少なくとも１つの右側には右側折り畳み部が設けられている。前記拡音部材は、前記三角形の中空筒体の外側面には第２の支持底面、受音面および拡音面を備える。前記第２の支持底面は、前記支持部材の前記第１の支持底面と前記拡音部材の前記第２の支持底面とが面一に形成されるように、前記支持部材の前記第１の支持底面の少なくとも一方の側縁に接続され、前記受音面は、前記第１の表示面に向かうと共に、前記第１の表示面に近接する位置に受音開口が設けられ、前記拡音面は、外部に向かうと共に、拡音開口が設けられ、前記受音開口の開口面積は、前記拡音開口の開口面積よりも小さい収納構造体を提供する。
【００１５】
本考案の一実施形態によれば、前記支持部材の前記（Ｎ−１）個の第１の表示面のうち少なくとも１つの左側には左側折り畳み部が設けられ、および／または前記（Ｎ−１）個の第１の表示面のうち少なくとも１つの右側には右側折り畳み部が設けられている。
【００１６】
本考案の一実施形態によれば、前記支前記持部材の前記左側折り畳み部および前記右側折り畳み部は、前記第１の表示面の左側縁および右側縁に沿って配置された矩形領域であるか、又は、前記第１の表示面の左側隅と右側隅に配置された円弧領域であるか、若しくは、前記第１の表示面の左側縁、左側隅と右側隅に配置された分割線である。
【００１７】
以下、本明細書に添付の図面を参照しながら、本考案の目的、達成効果、および本考案に開示する調整可能な収納構造体の構成要素、形状、構造等の特徴について詳細に説明する。
【図面の簡単な説明】
【００１８】
【図１】本考案に係る第１の実施形態の調整可能な収納構造体の構成を示す概略図である。
【図２】図１に示す調整可能な収納構造体の展開状態を示す概略図である。
【図３】本考案に係る第２の実施形態の調整可能な収納構造体の展開状態を示す概略図である。
【図４】本考案に係る第２の実施形態の調整可能な収納構造体の完成品の外観を示す概略図である。
【図５】本考案に係る第３の実施形態の調整可能な収納構造体の構成を示す概略図である。
【図６】本考案に係る第４の実施形態の調整可能な収納構造体の構成を示す概略図である。
【図７】本考案に係る第５の実施形態の調整可能な収納構造体の構成を示す概略図である。
【図８】本考案に係る第６の実施形態の調整可能な収納構造体の構成を示す概略図である。
【図９】本考案に係る調整可能な収納構造体の完成品の外観を示す概略図である。
【考案を実施するための形態】
【００１９】
以下、本考案の構成および技術内容などについて、種々の応用例を挙げ、さらに添付図面を合わせて参照しながら詳細に説明するが、本考案は、列挙した実施形態、図面または詳細な説明に限定されないことは言うまでもない。
【００２０】
なお、列挙した実施形態および添付の図面は単に例示および説明の目的のためであり、本考案を限定することを意図していないことも当業者には明らかである。これらの記載に基づいて容易に実施可能な補正や変更した創作も、また本考案の趣旨と領域を逸脱しない範囲内であると見なし、いずれも本考案の特許請求の範囲に含まれることは勿論である。
【００２１】
まず、図１を参照すると、図１は、本考案に係る調整可能な収納構造体の第１の実施形態の構成を示す概略図である。この実施形態では、該調整可能な収納構造体は、支持部材１０と、ストッパ部材２０と、接続部材３０とを含む。
【００２２】
支持部材１０は、三角形の中空筒体であり、この三角形の中空筒体の外側面には、第１の支持底面１０１と、２つの第１の表示面１０２とを有する。第１の支持底面１０１は、支持部材１０をどの平面にも平らに置くことができるように載置面と平行であり、支持部材１０を安定させる機能を有する。２つの第１の表示面１０２の左側および右側に左側折り畳み部１０３と右側折り畳み部１０４とがそれぞれ設けられ、左側折り畳み部１０３および右側折り畳み部１０４は、名刺や、写真、画像、文書などの物品を嵌め込むための収容空間を有する。本実施形態では、左側折り畳み部１０３および右側折り畳み部１０４は、第１の表示面１０２の左側縁および右側縁に沿った矩形領域であるが、これに限定されない。左側折り畳み部１０３および右側折り畳み部１０４は、第１の表示面１０２の左側隅および右側隅にある円弧領域（図示せず）であってもよい。また、第１の表示面１０２は、左側折り畳み部及び右側折り畳み部を有しなくてもよいし、いずれか一方を有してもよく、ユーザのニーズに応じて決定されてよい。
【００２３】
ストッパ部材２０は、三角形の中空筒体であり、この三角形の中空筒体の外側面には、第２の支持底面２０１と、ストッパ面２０２と、第２の表示面とを含む。第１の支持底面２０１は、ストッパ部材２０をどの平面にも平らに置くことができるように載置面と平行であり、ストッパ部材２０を安定させる機能を有する。ストッパ部材２０と支持部材１０とは、接続部材３０を介して接続されており、接続部材３０は矩形のシートであり、接続部材３０の両側は、支持部材１０の第１の支持底面１０１、接続部材３０、およびストッパ部材２０の第２の支持底面２０１が面一に形成し、かつどの平面にも同時に平らに置くことができるように、支持部材１０の第１の支持底面１０１とストッパ部材２０の第１の支持底面２０１の側縁にそれぞれ接続され、ユーザは、携帯電話を支持部材１０、ストッパ部材２０、および接続部材３０によって形成される空間内に置くことができる。さらに、ストッパ部材２０のストッパ面２０２は、携帯電話またはタブレットが当接するために支持部材１０に面している。
【００２４】
また、支持部材１０の位置を固定すると共に、文書を嵌め込む機能を有するために、接続部材３０は、支持部材１０が当接するための少なくとも１つの規制部３０１をさらに備えてもよい。
【００２５】
次に、本実施形態における調整可能な収納構造体の成形方法について説明する。図２は、図１に示す調整可能な収納構造体の展開状態を示す概略図である。この調整可能な収納構造体は、一枚の紙カードからなり、紙カードの一方側には、支持底面１０１と２つの第１の表示部１０２とが複数の平行な本折り線１０５によって区切りされ、表示部１０２の左右両側には左折り線１０６と右折り線１０７をそれぞれ有し、紙カードの反対側には、第２の支持底面２０１とストッパ面２０２と第２の表示面２０３が複数の平行なサブ折り線２０４によって区切りされると共に、係止部２０５を有する。紙カードの中央部は接続部材３０であり、規制部３０１は、接続部材３０に設けられた折り線３０１１と、当該折り線に接続した分割線３０１２とによって形成された閉パターンである。折り線３０１１に沿って規制部３０１になるように折り畳むと、分割線３０１２の開口方向が第１の支持底面１０１に向かい、組み立てて成形した支持部材１０が当接するために用いることができる。規制部が２つより大きいか又は等しいである場合、各規制部は接続部材３０内に一定の間隔で並列に配置され、各規制部の折り線は、いずれも本折り線１０５と平行である。これにより、組立立てて成形した後の支持部材１０をいずれかのストッパ部に選択的に突き当てることができ、支持部材１０の折り曲げ角度を調整することができる。また、この調整可能な収納構造体が大きい場合には、複数の携帯電話を同時に並べて載置したり、大型のタブレットや本類を載置したりすることができる。このとき、複数の規制部３０１を接続部材３０内に一定の間隔で並べて配置することで、大型の支持部材１０が当接するときの支持力を高めることができる。
【００２６】
そして、本折り線１０５、左折り線１０６、右折り線１０７、サブ折り線２０４、及び規制線３０１１に沿ってそれぞれ折り畳んで、支持部材１０、ストッパ部材、及び接続部材を組み立てて成形すれば、携帯電話、タブレット、本類などを置いたり、文書を格納したり、広告を表示したりすることができるような調整可能な収納構造体を形成することができる。
【００２７】
本実施形態では、支持部材１０とストッパ部材２０とは、全て三角形の中空筒体であるが、これに限定されず、本考案の技術的思想によれば、支持部材１０は、Ｎ角形の中空筒体であってもよく、ストッパ部材２０は、Ｍ角形の中空筒体であってもよい。ここで、ＮおよびＭは、３から２０の間の自然数であり、かつ、ＮおよびＭは、同じでも異なってもよい。また、支持部材１０とストッパ部材２０の大きさは、同じでも異なっていてもよい。
【００２８】
例えば、支持部材のＹ軸方向の幅をＬ１、ストッパ部材のＹ軸方向の幅をＬ２としたとき、Ｌ１はＬ２より大きいか又は等しいである。支持部材のＺ軸方向の高さをＨ１、ストッパ部材のＺ軸方向の高さをＨ２とすると、Ｈ１＞Ｌ１＞Ｌ２、かつＨ１≧Ｈ２である。
【００２９】
また、図３は、本考案の第２の実施形態の展開状態を示す概略図である。本実施形態では、接続部材３０は、並列に配置された２つの規制部３０１を有し、２つの規制部３０１は折り畳んで成形した後、支持部材１０とストッパ部２０とにそれぞれ係止することができ、図４の完成品の外観図に示すように、支持部材１０とストッパ部２０とを固定する機能を備える。なお、規制部は、支持構造および／またはストッパ部が当接したり、支持部材および／またはストッパ部と係止したりする機能を備えるので、ユーザは、実際の要求に応じて規制部のセット方式を調整することができ、ここで特に限定されない。
【００３０】
さらに、本考案の技術的思想によれば、支持部材およびストッパ部材の数も複数であってもよく、例えば、２つの支持部材を同じ軸方向に沿って配置してもよく、また、２つの支持部材の外側にストッパ部材がそれぞれ配置されるか、１つの支持部材の第１の支持底面の任意の２つ以上の側縁にストッパ部材が配置されてもよい。各支持部材および各ストッパ部材のサイズは、特に限定されないが、同一でも異なっていてもよく、隣接する支持部材同士、または隣接する支持部材とストッパ部材との間は、接続部材を介して互いに接続されている。図５に示す本考案の第３実施形態は、支持部材１０と、２つのストッパ部材２０と、２つの接続部材３０とから構成されている。
【００３１】
上記のように、本考案の調整可能な収納構造体は、折り畳まれた可撓性材料から構成され、図２および図３に示すように１枚の紙カードによって折り畳まれて形成するものであってもよいし、複数枚の紙カードで支持部材、ストッパ部材、および接続部材に折り畳まれて形成してから、互いに組み立てて構成してもよい。例えば、図５に示す第３の実施形態では、１枚の紙カードで折り畳んで形成してもよいし、まず１枚の紙カードを折り折り畳んで支持部材を形成した後、別の１枚の紙カードでストッパ部材と接続部材とを形成してから組み立てて形成してもよいし、１枚の紙カードを接続部材および支持部材とストッパ部材の台座とし、さらに異なる紙カードで折り畳んで形成した支持部材とストッパ部材をその中にそれぞれ固定してもよい。また、本考案の調整可能な収納構造体を構成する材料は、紙に限らず、プラスチックシートや、金属シート等の曲げ加工が可能なシート状の可撓性材料であってもよく、実際の要求に応じて所望の材料を選択することができる。
【００３２】
また、ストッパ部材のストッパ面および第２の表示面には、支持部材の第１の表示面と同様に、左側折り畳み部および右側折り畳み部を有することで、シート状物品を収容することができる。
【００３３】
この調整可能な収納構造体が複数枚のシート状の可撓性材料からなる場合、支持部材、ストッパ部材、および接続部材を固定する方法として、接着剤で接続することができるか、可撓性材料の特定の位置に係止するように固定することもできる。
【００３４】
次に、図６を参照すると、図６は、本考案の調整可能な収納構造体の第４の実施形態の構成を示す概略図である。本実施形態では、この調整可能な収納構造体は、支持部材１０と受容部材４０とを含む。支持部材１０の部品構成および符号は、前述の実施形態と同様であるので、説明を省略する。受容部材４０は、第２の支持底面４０１と周壁面４０２とを有する。
【００３５】
第２の支持底面４０１は、支持部材１０の第１の支持底面１０１の少なくとも一方の側縁に接続され、好ましくは、支持部材１０の第１の支持底面１０１とストッパ部材４０の第２の支持底面４０１とが面一に形成されるように、第１の支持底面１０１の第１の表示面１０２との接続された側縁に接続される。周壁面４０２は、周壁面４０２と第２の支持底面４０１と第１の表示面１０２とで収容空間を形成するように、第２の支持底面４０１の第１の支持底面１０１との接続された側縁以外の他方の側縁に沿って垂直に延びるように形成され、周壁面４０２は、携帯電話や、タブレット、本類などの物品が当接するために用いられるが、物を置くことに加えて、収容空間は、文房具や充電線のような小さな用品を収納するのにも使うことができる。
【００３６】
第２の支持底面４０１は、支持部材１０の位置を固定すると共に、文書を嵌め込む機能も有するための少なくとも１つの規制部４０３をさらに含む。規制部４０３が２つ以上の場合、各規制部４０３は第２の支持底面４０１に一定の間隔で配置することにより、組み立てて形成された支持部材１０をいずれかの規制部に選択的に当接させることができ、支持部材１０の折り曲げ角度を調整することができる。
【００３７】
上記実施形態と同様に、本実施形態の調整可能な収納構造体は、一枚の紙カードを折り畳んで形成してもよいし、複数枚の紙カードを折り畳んで支持部材と受容部材とを形成してから互いに組み立てて構成してもよい。調整可能な収納構造体が複数枚の紙カードから構成される場合、支持部材と受容部材とを固定する方法として、接着剤で接続することができる。なお、紙カードの特定の位置で係止するように固定することもできる。また、本考案の調整可能な収納構造体を構成する材料は、紙に限らず、プラスチックシートや金属シート等の曲げ加工が可能なシート状の可撓性材料であってもよく、実際の要求に応じて所望の材料を選択することができる。
【００３８】
また、図７は、本考案の調整可能な収納構造体の第５実施形態の構成を示す概略図である。本実施形態では、調整可能な収納構造体は、支持部材１０と拡音部材５０とを含む。支持部材１０の部品構成および符号は、前述の実施形態と同様であるので、説明を省略する。
【００３９】
拡音部材５０は、三角形の中空筒体であり、この三角形の中空筒体の外側面には、第２の支持底面５０１と、受音面５０２と、拡音面５０３とを含む。第２の支持底面５０１は、支持部材１０の第１の支持底面１０１と拡音部材５０の第２の支持底面５０１とが面一に形成されるように、支持部材１０の第１の支持底面１０１の少なくとも一方の側縁に接続されている。受音面５０２は、第１の表示面１０２に向かうと共に、受音開口５０４が設けられ、受音開口は第１の表示面１０２の近傍に位置することが好ましく、拡音面５０３は、外部に向かうと共に、拡音開口５０５が設けられている。
【００４０】
本実施形態において、ユーザが携帯電話を調整可能な収納構造体に置くと、携帯電話のスピーカを受音開口５０４の位置に合わせて音楽を再生することができ、携帯電話のスピーカによって発送される音楽は、受音開口５０４を介して拡音部材５０の内部空間に入り込んで共振し、そして音量が拡大されて拡音開口５０５から外部に伝達される。
【００４１】
本考案の技術的思想によれば、受音開口５０４および拡音開口５０５の形状は、特に限定されず、円形、楕円形、多角形などの幾何学的形状、または不規則な任意の閉形状であってもよい。また、受音開口５０４の開口面積は、拡音開口の開口面積よりも小さいことが好ましい。
【００４２】
さらに、図８は、本考案の調整可能な収納構造体の第６の実施形態の構成を示す概略図である。本実施形態では、調整可能な収納構造体は、支持部材１０'と拡音部材５０'とを含む。支持部材１０'は、支持部材１０'の左右両側に位置されている左側折り畳み部１０３'および右側折り畳み部１０４'が、紙カードを折り畳んで形成するのではなく、第１の表示面１０２'の左右両側の隅近傍に分割線を設けることで、表示するファイルや、名刺および紙が支持部材５０'の中空内部に嵌め込まれて所定の位置に固定され得る点で、前述の実施形態の支持部材１０と異なる。
【００４３】
支持部材１０の位置を固定すると共に、文書が嵌め込むことができる機能も有するために、拡音部材５０'の第２の支持底面５０１'は、第２の支持底面５０１'の第１の支持底面１０１'に接続された側縁に設けられた少なくとも１つの規制部５０６'をさらに含む。
【００４４】
前述の実施形態と同様に、第５の実施形態および第６の実施形態の調整可能な収納構造体は、１枚の紙カードを折り畳むことによって形成されてもよく、または複数枚の紙カードによって折り曲げられて支持部材と拡音部材とを形成してから、互いに組み立てて構成されてもよい。調整可能な収納構造体が複数枚の紙カードから構成される場合、支持部材と受容部材とを固定する方法として、接着剤で接続することができる。なお、紙カードの特定の位置で係止するように固定することもできる。また、本考案の調整可能な収納構造体を構成する材料は、紙に限らず、プラスチックシートや金属シート等の曲げ加工が可能なシート状の可撓性材料であってもよく、実際の要求に応じて所望の材料を選択することができる。
【００４５】
また、本考案の技術的思想によれば、前記実施形態の支持部材は、少なくとも１つの第１の表示面の側縁に配置され、好ましくは携帯電話が当接するための第１の表示面の上部側縁に設けられた装飾部をさらに有する。これにより、動物の造形、数字、文字などの特殊な形を呈することができる。そのため、この装飾部は、調整可能な収納構造体を美しくする機能に加えて、携帯電話に対し追加のサポート効果も提供することができる。装飾部材と第１の表示面との固定方法は、接着剤で固定してもよいし、紙カードの特定の位置に係止するように固定してもよい。また、支持部材を構成する紙カードに本折り線に接続されて特別な形状を有する分割線を設けてもよく、図９の完成品の外観図に示すように、装飾部品と支持部材とは一体に形成されている。
【００４６】
以上から分かるように、本考案の調整可能な収納構造体における支持部材は、ストッパ部材、受容部材、または拡音部材と選択的に接続することができ、調整可能な収納構造体は、携帯電話、タブレット、本類、名刺、写真、フォルダ、および宣伝用資料などの物品、文書を置くことができる外、収納機能または拡音機能を追加することもできる。支持部材は、収納と拡音の多機能を兼備するように受容部材または拡音部材に同時に接続することもできる。さらに、本考案の調整可能な収納構造体を構成する紙、プラスチック、または金属などの可撓性材料の表面は、任意の模様および文字を有さなくてもよく、空白や黒抜き、白抜き、または材料原色であってもよい。支持部材の第１の表示面、ストッパ部材の第２の表示面およびストッパ面、受容部材の周壁面、拡音部材の受音面または拡音面、あるいは他の特定位置に、ユーザのニーズに応じて指定された模様および文字を印刷して、宣伝広告の効果を達成するようにしてもよい。
【００４７】
さらに、本考案の調整可能な収納構造体は、１枚以上のシート状の可撓性材料を折り畳んで形成されるので、市販製品の外装箱と組み合わせて使用することができ、例えば、販売用製品の外装箱に、調整可能な収納構造体の展開図に対応する折り線および折り目が設けられることで、消費者は、外装箱を取り外すときに折り線に沿って余分な部分を取り除き、さらに、折り線に沿って折り畳んで本考案の調整可能な収納構造体を形成すれば、再生の効果を達成することができる。
【００４８】
以上、本考案の内容を上記実施形態により詳細に説明したが、本考案は、上記実施形態に限定されるものではない。本考案は、その趣旨を逸脱することなく、変更、改良され得ることは当業者には明らかであり、例えば、上記実施形態に例示された各技術内容等を組み合わせや変更して新しい実施形態にし、そのような実施形態は、もちろん本考案の内容であると見なされ、したがって、本願に保護されるべき範囲は、以下に記載される特許請求の範囲およびそれによって定義される範囲も含む。
【符号の説明】
【００４９】
１０、１０'支持部材
１０１、１０１' 第１の支持底面
１０２、１０２'第１の表示面
１０３、１０３' 左側折り畳み部
１０４、１０４' 右側折り畳み部
１０５本折り線
１０６左折り線
１０７右折り線
２０ストッパ部材
２０１、４０１、５０１第２の支持底面
２０２ストッパ面
２０３第２の表示面
２０４サブ折り線
２０５係止部
３０接続部材
３０１、４０３、５０６'規制部
３０１１折り線
３０１２分割線
４０受容部材
４０２周壁面
５０'拡音部材
５０２、５０２'受音面
５０３、５０３'拡音面
５０４、５０４'受音開口
５０５、５０５'拡音開口
【図１】
0003222711.tif 000003
【図２】
0003222711.tif 000004
【図３】
0003222711.tif 000005
【図４】
0003222711.tif 000006
【図５】
0003222711.tif 000007
【図６】
0003222711.tif 000008
【図７】
0003222711.tif 000009
【図８】
0003222711.tif 000010
【図９】
0003222711.tif 000011
【手続補正書】
【提出日】令和1年6月18日(2019.6.18)
【手続補正１】
【補正対象書類名】実用新案登録請求の範囲
【補正対象項目名】全文
【補正方法】変更
【補正の内容】
【実用新案登録請求の範囲】
【請求項１】
可撓性材料で折り畳まれて形成されると共に、支持部材と、接続部材と、ストッパ部材とを備える、かつ、物品および宣伝用物品の保管、放置、や立体ディスプレイに適用できる機能を一緒に持つ多目的機能型の調整可能な収納構造体であって、前記支持部材は、その外側面に（Ｎ−１）個の第１の表示面および１つの第１の支持底面を備えるＮ角形の中空筒体であり、ここで、Ｎが３〜２０の間の自然数であり、
前記接続部材は、前記支持部材の前記第１の支持底面の少なくとも一方の側縁に接続される、矩形シートであり、
前記ストッパ部材は、その外側面に、ストッパ面、１つの第２の支持底面および（Ｍ−２）個の第２の表示面を備えるＭ角形の中空筒体であり、ここで、Ｍは３〜２０の間の自然数であり、
前記支持部材における前記第１の支持底面と、前記接続部材と、前記ストッパ部材における前記第２の支持底面とは面一に形成されており、
前記支持部材のＹ軸方向の幅をＬ１とし、前記ストッパ部材のＹ軸方向の幅をＬ２とする場合、Ｌ１はＬ２より大きいか又は等しい、
前記支持部材のＺ軸方向の高さをＨ１とし、前記ストッパ部材のＺ軸方向の高さをＨ２とする場合、Ｈ１＞Ｌ１＞Ｌ２、かつＨ１＞Ｈ２であることを特徴とする調整可能な収納構造体。
【請求項２】
前記（Ｎ−１）個の第１の表示面のうち少なくとも１つの左側に左側折り畳み部が設けられており、または前記（Ｎ−１）個の第１の表示面のうち少なくとも１つの右側に右側折り畳み部が設けられている、
ことを特徴とする請求項１に記載の調整可能な収納構造体。
【請求項３】
前記ストッパ部材および前記接続部材はそれぞれ複数であり、
各前記ストッパ部材の前記第２の支持底面は、各前記接続部材を介して前記第１の支持底面の側縁にそれぞれ接続されており、
各前記ストッパ部材は、同じまたは異なるサイズである、
ことを特徴とする請求項１または２に記載の調整可能な収納構造体。
【請求項４】
前記支持部材は複数であり、
各前記支持部材の前記第１の支持底面は、前記接続部材を介して互いに接続されており、
各前記支持部材は、同じまたは異なるサイズである、
ことを特徴とする請求項１または２に記載の調整可能な収納構造体。
【請求項５】
前記左側折り畳み部および前記右側折り畳み部は、前記第１の表示面の左側縁および右側縁に沿って配置された矩形領域であるか、又は、前記第１の表示面の左側隅と右側隅に配置された円弧領域であるか、若しくは、前記第１の表示面の左側縁、左側隅と右側隅に配置された分割線である、
ことを特徴とする請求項２に記載の調整可能な収納構造体。
【請求項６】
前記接続部材は、前記支持部材が選択的に当接するための少なくとも１つの規制部をさらに含んでおり、
前記規制部が複数である場合、各前記規制部は、前記接続部材内に一定の間隔で配置されている、
ことを特徴とする請求項１または２に記載の調整可能な収納構造体。
【請求項７】
前記ストッパ部材の前記ストッパ面または前記第２の表示面のうち少なくとも１つの左側には、前記左側折り畳み部が設けられており、
前記ストッパ面または前記第２の表示面のうち少なくとも１つの右側には、前記右側折り畳み部が設けられている、
ことを特徴とする請求項２に記載の調整可能な収納構造体。
【請求項８】
前記支持部材、前記ストッパ部材および前記接続部材は、同１枚のシート状の可撓性材料によって折り畳まれて形成されるか、または、複数枚のシート状の可撓性材料によって別々に折り畳まれて成形してから、互いに組み立てて構成される、
ことを特徴とする請求項１または２に記載の調整可能な収納構造体。
【請求項９】
可撓性材料で折り畳まれて形成されると共に、支持部材と受容部材とを備える、かつ、物品および宣伝用物品の保管、放置、や立体ディスプレイに適用できる機能を一緒に持つ多目的機能型の調整可能な収納構造体であって、
前記支持部材は、その外側面に（Ｎ−１）個の第１の表示面および１つの第１の支持底面を備えるＮ角形の中空筒体であり、ここで、Ｎが３〜２０の間の自然数であり、
前記受容部材は、第２の支持底面および周壁面を備えており、
前記第２の支持底面は、前記支持部材の前記第１の支持底面と前記受容部材の前記第２の支持底面とが面一に形成されるように、前記支持部材の前記第１の支持底面の少なくとも一方の側縁に接続されており、
前記周壁面は、前記周壁面と前記第２の支持底面と前記第１の表示面とで収容空間を形成するように、前記第２の支持底面の前記第１の支持底面との接続された側縁以外の他の側縁に沿って垂直に延びるように形成されている、
ことを特徴とする調整可能な収納構造体。
【請求項１０】
前記（Ｎ−１）個の第１の表示面のうち少なくとも１つの左側には左側折り畳み部が設けられており、または前記（Ｎ−１）個の第１の表示面のうち少なくとも１つの右側には右側折り畳み部が設けられている、
ことを特徴とする請求項９記載の調整可能な収納構造体。
【請求項１１】
前記左側折り畳み部および前記右側折り畳み部は、前記第１の表示面の左側縁および右側縁に沿って配置された矩形領域であるか、又は、前記第１の表示面の左側隅と右側隅に配置された円弧領域であるか、若しくは、前記第１の表示面の左側縁、左側隅と右側隅に配置された分割線である、
ことを特徴とする請求項１０に記載の調整可能な収納構造体。
【請求項１２】
前記受容部材の前記第２の支持底面は、前記支持部材が選択的に当接するための少なくとも１つの規制部を含み、前記規制部は複数である場合、各前記規制部は、接続部材内に一定の間隔で配置されていることを特徴とする請求項９または１０記載の調整可能な収納構造体。
【請求項１３】
可撓性材料で折り畳まれて形成されるとともに、支持部材と拡音部材とを備える、かつ、物品および宣伝用物品の保管、放置、や立体ディスプレイに適用できる機能を一緒に持つ多目的機能型の調整可能な収納構造体であって、
前記支持部材は、その外側面には（Ｎ−１）個の第１の表示面および１つの第１の支持底面を備えるＮ角形の中空筒体であり、ここで、Ｎが３〜２０の間の自然数であり、
前記拡音部材は、その外側面には第２の支持底面、受音面および拡音面を備える三角形の中空筒体であり、
前記第２の支持底面は、前記支持部材の前記第１の支持底面と前記拡音部材の前記第２の支持底面とが面一に形成されるように、前記支持部材の前記第１の支持底面の少なくとも一方の側縁に接続されており、
前記受音面は、前記第１の表示面に向かうと共に、前記第１の表示面に近接する位置に受音開口が設けられており、
前記拡音面は、外部に向かうと共に、拡音開口が設けられており、
前記受音開口の開口面積は、前記拡音開口の開口面積よりも小さい、
ことを特徴とする調整可能な収納構造体。
【請求項１４】
前記（Ｎ−１）個の第１の表示面のうち少なくとも１つの左側には左側折り畳み部が設けられ、または前記（Ｎ−１）個の第１の表示面のうち少なくとも１つの右側には右側折り畳み部が設けられている、
ことを特徴とする請求項１３に記載の調整可能な収納構造体。
【請求項１５】
前記左側折り畳み部および前記右側折り畳み部は、前記第１の表示面の左側縁および右側縁に沿って配置された矩形領域であるか、又は、前記第１の表示面の左側隅と右側隅に配置された円弧領域であるか、若しくは、前記第１の表示面の左側縁、左側隅と右側隅に配置された分割線である、
ことを特徴とする請求項１４に記載の調整可能な収納構造体。